(57)【要約】【課題】  短時間に労力なく色出力装置間の色出力特性の補正を行なうことができる補正情報を算出する、色出力特性補正情報算出装置を提供する。【解決手段】  第１測色値算出手段によって算出された各色の測色値と、第２測色値算出手段によって算出された各色の測色値と、の関係に基づいて、第１評価用データを用いて印刷を行なう第１色出力装置と、複数の第２評価用データのうちの何れかの第２評価用データを用いて印刷を行なう第２色出力装置との間の色出力特性の差を示す色出力特性差異情報を算出し、最も値の小さい色出力特性差異情報を算出したときに用いた第２評価用データを特定し、当該特定した第２評価用データを算出した際の補正情報を、第２色出力装置の色出力特性を第１色出力装置の色出力特性に近似補正する補正情報と決定する。【選択図】    図１
2005348210.tif 000002
【特許請求の範囲】
【請求項１】
１つの色についての色出力を複数の色要素信号値の組合せに基づいて行なう第２色出力装置の色出力特性を、当該第２色出力装置と同様に前記色要素信号値の組合せに基づいて色の色出力を行なう第１色出力装置の色出力特性へ近似補正する際に用いる、補正情報を算出する色出力特性補正情報算出装置であって、
色要素信号値の組合せと、当該色要素信号値の組合せによって前記第１色出力装置が出力する色の実測値と、を対応付けた第１色出力装置プロファイルを記憶する第１色出力装置プロファイル記憶手段と、
色要素信号値の組合せと、当該色要素信号値の組合せによって前記第２色出力装置が出力する色の実測値と、を対応付けた第２色出力装置プロファイルを記憶する第２色出力装置プロファイル記憶手段と、
色要素信号値の組合せを複数保持した第１評価用データと、前記第１色出力装置プロファイルと、に基づいて、前記第１評価用データによって前記第１色出力装置が色出力する際の各色の実測値を算出する第１実測値算出手段と、
前記第１評価用データの保持する色要素信号値の組合せそれぞれを補正情報に基づいて変換した第２評価用データを算出する第２評価用データ算出手段と、
前記第２評価用データと前記第２色出力装置プロファイルと、に基づいて、前記第２評価用データによって前記第２色出力装置が色出力する際の各色の実測値を算出する第２実測値算出手段と、
前記第１実測値算出手段によって算出された各色の実測値と、前記第２実測値算出手段によって算出された各色の実測値と、の関係に基づいて、前記第１評価用データを用いて出力を行なう第１色出力装置と、前記第２評価用データを用いて出力を行なう第２色出力装置との間の色出力特性の差を示す色出力特性差異情報を算出し、最適化手法により最も値の小さい色出力特性差異情報が算出されるときの前記第２評価用データを算出する前記補正情報を、前記第２色出力装置の色出力特性を前記第１色出力装置の色出力特性に近似補正する補正情報と決定する補正情報決定手段と、
を備えることを特徴とする色出力特性補正情報算出装置。
【請求項２】
前記第１色出力装置プロファイルと前記第２色出力装置プロファイルのいずれかまたはその両方を読み込むプロファイル読み込み手段と、
前記第１色出力装置プロファイルと前記第２色出力装置プロファイルのいずれかまたはその両方を生成するプロファイル生成手段と、
のいずれかまたはその両方を備えることを特徴とする請求項１に記載の色出力特性補正情報算出装置。
【請求項３】
一方の色出力装置の色出力特性を他方の色出力装置の色出力特性へ近似補正する色変換装置であって、
色要素信号値の組合せと、当該色要素信号値の組合せによって前記他方の色出力装置が出力する色の実測値と、を対応付けた第１色出力装置プロファイルを記憶する第１色出力装置プロファイル記憶手段と、
色要素信号値の組合せと、当該色要素信号値の組合せによって前記一方の色出力装置が出力する色の実測値と、を対応付けた第２色出力装置プロファイルを記憶する第２色出力装置プロファイル記憶手段と、
色要素信号値の組合せを複数保持した第１評価用データと、前記他方の色出力装置プロファイルと、に基づいて、前記第１評価用データによって前記他方の色出力装置が色出力する際の各色の実測値を算出する第１実測値算出手段と、
前記第１評価用データの保持する色要素信号値の組合せそれぞれを補正情報に基づいて変換した第２評価用データを算出する第２評価用データ算出手段と、
前記第２評価用データと前記一方の出力装置プロファイルと、に基づいて、前記第２評価用データによって前記一方の色出力装置が色出力する際の各色の実測値を算出する第２実測値算出手段と、
前記第１実測値算出手段によって算出された各色の実測値と、前記第２実測値算出手段によって算出された各色の実測値と、の関係に基づいて、前記第１評価用データを用いて出力を行なう前記他方の色出力装置と、前記第２評価用データを用いて出力を行なう前記一方の色出力装置との間の色出力特性の差を示す色出力特性差異情報を算出し、最適化手法により最も値の小さい色出力特性差異情報が算出されるときの前記第２評価用データを算出する前記補正情報を、前記一方の色出力装置の色出力特性を前記他方の色出力装置の色出力特性に近似補正する補正情報と決定する補正情報決定手段と、
前記特定した補正情報を、前記一方の色出力装置の出力する色の色要素信号値に適用する補正情報適用手段と、
を備えることを特徴とする色変換装置。
【請求項４】
１つの色についての色出力を複数の色要素信号値の組合せに基づいて行なう第２色出力装置の色出力特性を、当該第２色出力装置と同様に前記色要素信号値の組合せに基づいて色の色出力を行なう第１色出力装置の色出力特性へ近似補正する際に用いる、補正情報を算出する色出力特性補正情報算出装置であって、
第１色出力装置プロファイル記憶手段が、色要素信号値の組合せと、当該色要素信号値の組合せによって前記第１色出力装置が出力する色の実測値と、を対応付けた第１色出力装置プロファイルを記憶し、
第２色出力装置プロファイル記憶手段が、色要素信号値の組合せと、当該色要素信号値の組合せによって前記第２色出力装置が出力する色の実測値と、を対応付けた第２色出力装置プロファイルを記憶し、
第１実測値算出手段が、色要素信号値の組合せを複数保持した第１評価用データと、前記第１色出力装置プロファイルと、に基づいて、前記第１評価用データによって前記第１色出力装置が色出力する際の各色の実測値を算出し、
第２評価用データ算出手段が、前記第１評価用データの保持する色要素信号値の組合せそれぞれを補正情報に基づいて変換した第２評価用データを算出し、
第２実測値算出手段が、前記第２評価用データと前記第２色出力装置プロファイルと、に基づいて、前記第２評価用データによって前記第２色出力装置が色出力する際の各色の実測値を算出し、
補正情報決定手段が、前記第１実測値算出手段によって算出された各色の実測値と、前記第２実測値算出手段によって算出された各色の実測値と、の関係に基づいて、前記第１評価用データを用いて出力を行なう第１色出力装置と、前記第２評価用データを用いて出力を行なう第２色出力装置との間の色出力特性の差を示す色出力特性差異情報を算出し、最適化手法により最も値の小さい色出力特性差異情報が算出されるときの前記第２評価用データを算出する前記補正情報を、前記第２色出力装置の色出力特性を前記第１色出力装置の色出力特性に近似補正する補正情報と決定する
ことを特徴とする色出力特性補正情報算出方法。
【請求項５】
前記第１色出力装置プロファイルと前記第２色出力装置プロファイルのいずれかまたはその両方を読み込む過程、
前記第１色出力装置プロファイルと前記第２色出力装置プロファイルのいずれかまたはその両方を生成する過程、
のいずれかまたはその両方を有することを特徴とする請求項４に記載の色出力特性補正情報算出方法。
【請求項６】
一方の色出力装置の色出力特性を他方の色出力装置の色出力特性へ近似補正する色変換装置の色変換方法であって、
第１色出力装置プロファイル記憶手段が、色要素信号値の組合せと、当該色要素信号値の組合せによって前記他方の色出力装置が出力する色の実測値と、を対応付けた第１色出力装置プロファイルを記憶し、
第２色出力装置プロファイル記憶手段が、色要素信号値の組合せと、当該色要素信号値の組合せによって前記一方の色出力装置が出力する色の実測値と、を対応付けた第２色出力装置プロファイルを記憶し、
第１実測値算出手段が、色要素信号値の組合せを複数保持した第１評価用データと、前記他方の色出力装置プロファイルと、に基づいて、前記第１評価用データによって前記他方の色出力装置が色出力する際の各色の実測値を算出し、
第２評価用データ算出手段が、前記第１評価用データの保持する色要素信号値の組合せそれぞれを補正情報に基づいて変換した第２評価用データを算出し、
第２実測値算出手段が、前記第２評価用データと前記一方の出力装置プロファイルと、に基づいて、前記第２評価用データによって前記一方の色出力装置が色出力する際の各色の実測値を算出し、
補正情報決定手段が、前記第１実測値算出手段によって算出された各色の実測値と、前記第２実測値算出手段によって算出された各色の実測値と、の関係に基づいて、前記第１評価用データを用いて出力を行なう前記他方の色出力装置と、前記第２評価用データを用いて出力を行なう前記一方の色出力装置との間の色出力特性の差を示す色出力特性差異情報を算出し、最適化手法により最も値の小さい色出力特性差異情報が算出されるときの前記第２評価用データを算出する前記補正情報を、前記一方の色出力装置の色出力特性を前記他方の色出力装置の色出力特性に近似補正する補正情報と決定し、
補正情報適用手段が、前記特定した補正情報を、前記一方の色出力装置の出力する色の色要素信号値に適用する
ことを特徴とする色変換方法。
【発明の詳細な説明】
【技術分野】
【０００１】
本発明は、一方の出力装置の色出力特性を、他方の色出力装置の色出力特性へ近似補正する際に用いる補正情報を算出する色出力特性補正情報算出装置および色出力特性補正情報算出方法、また、補正情報によって出力情報を近似補正する色変換装置および色変換方法に関する。
【背景技術】
【０００２】
色出力特性が異なる画像出力装置（色出力装置）間の色出力特性の差を近似補正する方法として、階調再現曲線（トーンカーブ）を調整して色を合わせる方法が広く用いられている。たとえば色出力特性の異なる印刷機間では、フィルムセッターの出力カーブ、刷版時の焼き度の調整、ＣＴＰ（Computer to Plate）のカーブなどを用いて両者の色出力特性の差を補正している。このようなカーブ補正による色合わせでは、一般的にジョーンズダイアグラムと呼ばれるグラフを用いて、色出力特性の差を補正する方法が採られている。
【非特許文献１】J.A.C.Yule、馬渡  力、国司  龍郎、カラーレプロダクションの理論、印刷学会出版部、昭和４６年２月５日、p.88
【発明の開示】
【発明が解決しようとする課題】
【０００３】
この方法によれば、一次色の階調再現を一致させることができるが、一次色の階調再現を一致させただけでは、画像全体の色調を合わせることができない。これは実際の自然画像の中にはほとんど一次色の領域は存在せず、そのほとんどが二次色以降の高次色で構成されているというのが主な原因であると考えられる。この場合、さらに補正カーブを変更して、色出力特性の差を補正する必要があるが、このときのカーブの調整には明確な方法がなく、カーブを少量ずつ補正して実際に画像出力装置から出力し、その結果を観察して最終的に画像全体の色調が最も近くなる補正カーブを試行錯誤で探すという作業が必要となる。この作業は容易ではなく、決定するまでに時間がかかるという時間的な問題に加え、実際に画像出力装置からの出力を繰り返す必要があるため、コスト面でも大きな問題があった。ジョーンズダイアグラムを用いて一次色を合わせることなく、直接補正カーブを調整することによって画像全体の色調を合わせることも可能であるが、その場合にも最適な補正カーブを求めるためには前記のような繰り返しの作業が必要となり、同様の問題が発生していた。
【０００４】
そこでこの発明は、上述の従来の技術の問題点を解決すべくなされたものであって、短時間に労力なく色出力装置間の色出力特性の補正を行なうことができる補正情報を算出する、色出力特性補正情報算出装置および色出力特性補正情報算出方法、また、補正情報によって出力情報を近似補正する色変換装置および色変換方法を提供することを目的としている。
【課題を解決するための手段】
【０００５】
本発明は、上述の課題を解決すべくなされたもので、１つの色についての色出力を複数の色要素信号値の組合せに基づいて行なう第２色出力装置の色出力特性を、当該第２色出力装置と同様に前記色要素信号値の組合せに基づいて色の色出力を行なう第１色出力装置の色出力特性へ近似補正する際に用いる、補正情報を算出する色出力特性補正情報算出装置であって、色要素信号値の組合せと、当該色要素信号値の組合せによって前記第１色出力装置が出力する色の実測値と、を対応付けた第１色出力装置プロファイルを記憶する第１色出力装置プロファイル記憶手段と、色要素信号値の組合せと、当該色要素信号値の組合せによって前記第２色出力装置が出力する色の実測値と、を対応付けた第２色出力装置プロファイルを記憶する第２色出力装置プロファイル記憶手段と、色要素信号値の組合せを複数保持した第１評価用データと、前記第１色出力装置プロファイルと、に基づいて、前記第１評価用データによって前記第１色出力装置が色出力する際の各色の実測値を算出する第１実測値算出手段と、前記第１評価用データの保持する色要素信号値の組合せそれぞれを補正情報に基づいて変換した第２評価用データを算出する第２評価用データ算出手段と、前記第２評価用データと前記第２色出力装置プロファイルと、に基づいて、前記第２評価用データによって前記第２色出力装置が色出力する際の各色の実測値を算出する第２実測値算出手段と、前記第１実測値算出手段によって算出された各色の実測値と、前記第２実測値算出手段によって算出された各色の実測値と、の関係に基づいて、前記第１評価用データを用いて出力を行なう第１色出力装置と、前記第２評価用データを用いて出力を行なう第２色出力装置との間の色出力特性の差を示す色出力特性差異情報を算出し、最適化手法により最も値の小さい色出力特性差異情報が算出されるときの前記第２評価用データを算出する前記補正情報を、前記第２色出力装置の色出力特性を前記第１色出力装置の色出力特性に近似補正する補正情報と決定する補正情報決定手段とを備えることを特徴とする色出力特性補正情報算出装置である。
【０００６】
また本発明は、上述の色出力特性補正情報算出装置が、前記第１色出力装置プロファイルと前記第２色出力装置プロファイルのいずれかまたはその両方を読み込むプロファイル読み込み手段と、前記第１色出力装置プロファイルと前記第２色出力装置プロファイルのいずれかまたはその両方を生成するプロファイル生成手段とのいずれかまたはその両方を備えることを特徴とする。
【０００７】
また本発明は、一方の色出力装置の色出力特性を他方の色出力装置の色出力特性へ近似補正する色変換装置であって、色要素信号値の組合せと、当該色要素信号値の組合せによって前記他方の色出力装置が出力する色の実測値と、を対応付けた第１色出力装置プロファイルを記憶する第１色出力装置プロファイル記憶手段と、色要素信号値の組合せと、当該色要素信号値の組合せによって前記一方の色出力装置が出力する色の実測値と、を対応付けた第２色出力装置プロファイルを記憶する第２色出力装置プロファイル記憶手段と、色要素信号値の組合せを複数保持した第１評価用データと、前記他方の色出力装置プロファイルと、に基づいて、前記第１評価用データによって前記他方の色出力装置が色出力する際の各色の実測値を算出する第１実測値算出手段と、前記第１評価用データの保持する色要素信号値の組合せそれぞれを補正情報に基づいて変換した第２評価用データを算出する第２評価用データ算出手段と、前記第２評価用データと前記一方の出力装置プロファイルと、に基づいて、前記第２評価用データによって前記一方の色出力装置が色出力する際の各色の実測値を算出する第２実測値算出手段と、前記第１実測値算出手段によって算出された各色の実測値と、前記第２実測値算出手段によって算出された各色の実測値と、の関係に基づいて、前記第１評価用データを用いて出力を行なう前記他方の色出力装置と、前記第２評価用データを用いて出力を行なう前記一方の色出力装置との間の色出力特性の差を示す色出力特性差異情報を算出し、最適化手法により最も値の小さい色出力特性差異情報が算出されるときの前記第２評価用データを算出する前記補正情報を、前記一方の色出力装置の色出力特性を前記他方の色出力装置の色出力特性に近似補正する補正情報と決定する補正情報決定手段と、前記特定した補正情報を、前記一方の色出力装置の出力する色の色要素信号値に適用する補正情報適用手段とを備えることを特徴とする色変換装置である。
【０００８】
また本発明は、１つの色についての色出力を複数の色要素信号値の組合せに基づいて行なう第２色出力装置の色出力特性を、当該第２色出力装置と同様に前記色要素信号値の組合せに基づいて色の色出力を行なう第１色出力装置の色出力特性へ近似補正する際に用いる、補正情報を算出する色出力特性補正情報算出装置であって、第１色出力装置プロファイル記憶手段が、色要素信号値の組合せと、当該色要素信号値の組合せによって前記第１色出力装置が出力する色の実測値と、を対応付けた第１色出力装置プロファイルを記憶し、第２色出力装置プロファイル記憶手段が、色要素信号値の組合せと、当該色要素信号値の組合せによって前記第２色出力装置が出力する色の実測値と、を対応付けた第２色出力装置プロファイルを記憶し、第１実測値算出手段が、色要素信号値の組合せを複数保持した第１評価用データと、前記第１色出力装置プロファイルと、に基づいて、前記第１評価用データによって前記第１色出力装置が色出力する際の各色の実測値を算出し、第２評価用データ算出手段が、前記第１評価用データの保持する色要素信号値の組合せそれぞれを補正情報に基づいて変換した第２評価用データを算出し、第２実測値算出手段が、前記第２評価用データと前記第２色出力装置プロファイルと、に基づいて、前記第２評価用データによって前記第２色出力装置が色出力する際の各色の実測値を算出し、補正情報決定手段が、前記第１実測値算出手段によって算出された各色の実測値と、前記第２実測値算出手段によって算出された各色の実測値と、の関係に基づいて、前記第１評価用データを用いて出力を行なう第１色出力装置と、前記第２評価用データを用いて出力を行なう第２色出力装置との間の色出力特性の差を示す色出力特性差異情報を算出し、最適化手法により最も値の小さい色出力特性差異情報が算出されるときの前記第２評価用データを算出する前記補正情報を、前記第２色出力装置の色出力特性を前記第１色出力装置の色出力特性に近似補正する補正情報と決定することを特徴とする色出力特性補正情報算出方法である。
【０００９】
また本発明は、上述の色出力特性補正情報算出方法において、前記第１色出力装置プロファイルと前記第２色出力装置プロファイルのいずれかまたはその両方を読み込む過程、前記第１色出力装置プロファイルと前記第２色出力装置プロファイルのいずれかまたはその両方を生成する過程、のいずれかまたはその両方を有することを特徴とする。
【００１０】
また本発明は、一方の色出力装置の色出力特性を他方の色出力装置の色出力特性へ近似補正する色変換装置の色変換方法であって、第１色出力装置プロファイル記憶手段が、色要素信号値の組合せと、当該色要素信号値の組合せによって前記他方の色出力装置が出力する色の実測値と、を対応付けた第１色出力装置プロファイルを記憶し、第２色出力装置プロファイル記憶手段が、色要素信号値の組合せと、当該色要素信号値の組合せによって前記一方の色出力装置が出力する色の実測値と、を対応付けた第２色出力装置プロファイルを記憶し、第１実測値算出手段が、色要素信号値の組合せを複数保持した第１評価用データと、前記他方の色出力装置プロファイルと、に基づいて、前記第１評価用データによって前記他方の色出力装置が色出力する際の各色の実測値を算出し、第２評価用データ算出手段が、前記第１評価用データの保持する色要素信号値の組合せそれぞれを補正情報に基づいて変換した第２評価用データを算出し、第２実測値算出手段が、前記第２評価用データと前記一方の出力装置プロファイルと、に基づいて、前記第２評価用データによって前記一方の色出力装置が色出力する際の各色の実測値を算出し、補正情報決定手段が、前記第１実測値算出手段によって算出された各色の実測値と、前記第２実測値算出手段によって算出された各色の実測値と、の関係に基づいて、前記第１評価用データを用いて出力を行なう前記他方の色出力装置と、前記第２評価用データを用いて出力を行なう前記一方の色出力装置との間の色出力特性の差を示す色出力特性差異情報を算出し、最適化手法により最も値の小さい色出力特性差異情報が算出されるときの前記第２評価用データを算出する前記補正情報を、前記一方の色出力装置の色出力特性を前記他方の色出力装置の色出力特性に近似補正する補正情報と決定し、補正情報適用手段が、前記特定した補正情報を、前記一方の色出力装置の出力する色の色要素信号値に適用することを特徴とする色変換方法である。
【発明の効果】
【００１１】
本発明によれば、第１実測値算出手段によって算出された各色の実測値と、第２実測値算出手段によって算出された各色の実測値と、の関係に基づいて、第１評価用データを用いて出力を行なう第１色出力装置と、第２評価用データを用いて出力を行なう第２色出力装置との間の色出力特性の差を示す色出力特性差異情報を算出し、最適化手法により最も値の小さい色出力特性差異情報が算出されるときの第２評価用データを算出する補正情報を、第２色出力装置の色出力特性を第１色出力装置の色出力特性に近似補正する補正情報と決定するので、これにより、第２色出力装置の色出力特性を第１色出力装置の色出力特性に近似補正するための補正情報を算出することができる。
【００１２】
また、本発明によれば、色変換装置が他方の色出力装置の色出力特性に近似補正できる補正情報を用いて、一方の色出力装置の色出力の際の色要素信号値を補正するので、一方の色出力装置の出力を、他の色出力装置の色出力特性に近い色に労力なく補正することができる。
【発明を実施するための最良の形態】
【００１３】
以下、本発明の一実施形態による色出力特性補正情報算出装置を図面を参照して説明する。図１は同実施形態による色出力特性補正情報算出装置の構成を示すブロック図である。この図において、符号１は色出力特性補正情報算出装置である。そして色出力特性補正情報算出装置１は、評価用データ記憶部１１、評価用データ変換処理部（第２評価用データ算出手段）１２、第１プロファイル記憶部（第１色出力装置プロファイル記憶手段）１２、第２プロファイル記憶部（第２色出力装置プロファイル記憶手段）１３、第１測色値算出部（第１実測値算出手段）１５、第２測色値算出部（第２実測値算出手段）１６、補正情報決定部（補正情報決定手段）１７とを備えている。
【００１４】
評価用データ記憶部１１は、色出力に用いられる色要素信号値の組合せを、複数保持する評価用データ（第１評価用データ）を記憶している。図２は評価用データを示す図である。図２より、具体的には、この評価用データは、ＩＴ８．７／３（ＩＳＯ１２６４２）と呼ばれるカラーチャートで定義された、Ｃ（シアン）Ｍ（マゼンタ）Ｙ（イエロ）Ｋ（ブラック）の各色要素信号値の組合せを保持している。なお、評価用データとしてＩＴ８．７／３のカラーチャート同様に、色空間上に均等に分布した各色を用いれば、当該各色を出力する色要素信号値の組合せを保持するので、色空間の様々な色に関して第１色出力装置の色出力特性に第２色出力装置の色出力特性を近似補正することができる。また、最適化したい特定領域の掛け合わせのみを集めた色を評価用データとして用いれば、その特定領域については最適な補正情報が得られる。また第２色出力装置で実際に出力する画像データを評価用データとして用いれば、出力する画像そのものに対して最適な補正情報が得られる。
【００１５】
また評価用データ変換処理部１２は、補正情報に基づいて、評価用データのＣＭＹＫ値をそれぞれＣ´Ｍ´Ｙ´Ｋ´に変換する処理を行なう。
図３は補正情報のスプライン曲線を示す図である。
ここで補正情報は、色要素信号値の変換前の値と色要素信号値の変換後の値が同一となることを示す図３の直線Ａの中央値を制御点としたときの、その制御点に対応する変換後の色要素信号値を変動させたスプライン曲線で表されるものである。そしてこのスプライン曲線で表されたカーブによって示される変換前の色要素信号値と変換後の色要素信号値の対応関係が、補正情報となる。そしてこの補正情報を、色要素信号値ＣＭＹＫごとに評価用データ変換処理部１２が生成し、また評価用データ変換処理部１２は、その評価用データのそれぞれのＣＭＹＫ値を補正情報に基いて変換した変換後評価用データ（第２評価用データ）を算出する。
【００１６】
また第１プロファイル記憶部１３は、第１印刷装置の色出力特性が記述されたプロファイル（以降、第１印刷装置プロファイルと呼ぶ）を記憶する記憶部である。この第１印刷装置プロファイルは、色要素信号値の組合せＣＭＹＫ値と、当該ＣＭＹＫの値を用いて色出力を行なった際に第１印刷装置から出力される色の測色値（実測値：例えばＣＩＥＬａｂ値）とを対応付けた表である。この第１プロファイル記憶部１３の記憶する第１印刷装置プロファイルは、第１印刷装置から直接、色出力特性補正情報算出装置１が読み込んで記憶するようにしても良いし、記録媒体を介して予めユーザが第１プロファイル記憶部１３に記録するようにしても良い。また第１印刷装置プロファイルを生成する処理部を色出力特性補正情報算出装置１が備え、当該第１印刷装置プロファイルを生成する処理部によって生成された第１印刷装置プロファイルを第１プロファイル記憶部１３が記録するようにしてもよい。
【００１７】
また第２プロファイル記憶部１４は、第２印刷装置の色出力特性が記述されたプロファイル（以降、第２印刷装置プロファイルと呼ぶ）を記憶する記憶部である。この第２印刷装置プロファイルも、色要素信号値の組合せＣＭＹＫ値と、当該ＣＭＹＫの値を用いて色出力を行なった際に第２印刷装置から出力される色の測色値（例えばＣＩＥＬａｂ値）とを対応付けた表である。この第２プロファイル記憶部１４の記憶する第２印刷装置プロファイルは、第２印刷装置から直接、色出力特性補正情報算出装置１が読み込んで記憶するようにしても良いし、記録媒体を介して予めユーザが第２プロファイル記憶部１４に記録するようにしても良い。また第２印刷装置プロファイルを生成する処理部を色出力特性補正情報算出装置１が備え、当該第２印刷装置プロファイルを生成する処理部（プロファイル生成手段）によって生成された第２印刷装置プロファイルを第２プロファイル記憶部１４が記録するようにしてもよい。
【００１８】
また第１測色値算出部１５は、評価用データと第１印刷装置プロファイルとを用いて、評価用データを用いて第１印刷装置が印刷した時の、各色の測色値を算出する。また第２測色値算出部１６は、評価用データ変換処理部１２によって算出された複数の変換後の評価用データのうちの何れかの評価用データと第２印刷装置プロファイルとを用いて、当該変換後の評価用データを用いて第２印刷装置が印刷した時の各色の測色値を、複数の変換後の評価用データのうちの何れかの評価用データごとに算出する。
【００１９】
そして、補正情報決定部１７が、第１測色値算出部１５によって算出された各色の測色値と、第２測色値算出部１６によって算出された各色の測色値と、の関係に基づいて、評価用データを用いて印刷を行なう第１印刷装置と、複数の変換後評価用データのうちの何れかの変換後評価用データを用いて印刷を行なう第２印刷装置との間の色出力特性の差を示す色出力特性差異情報を算出し、最も値の小さい色出力特性差異情報を算出したときに用いた変換後評価用データを特定し、当該特定した変換後評価用データを算出した際の補正情報を、第２印刷装置の色出力特性を第１印刷装置の色出力特性に近似補正する補正情報と決定する。この補正情報を用いて第２印刷装置に入力される画像データの各色の色要素信号値ＣＭＹＫを変換すれば、第１印刷装置を用いて印刷した際とほぼ近似した色調での印刷を第２印刷装置で行うことができるようになる。
【００２０】
図４は第１印刷装置プロファイルまたは第２印刷装置プロファイルのデータ概要を示す図である。
図４に示すように、第１印刷装置プロファイルや、第２印刷装置プロファイルは、色要素信号値の組合せＣＭＹＫ値と、当該ＣＭＹＫの値を用いて色出力を行なった際に第１（第２）印刷装置から出力される色の測色値（例えばＣＩＥＬａｂ値）とを対応付けている。
【００２１】
図５は色出力特性補正情報算出装置の処理フローを示す図である。
次に図５を用いて、色出力特性補正情報算出装置の処理フローについて説明する。
まず、色出力特性補正情報算出装置１の制御部（プロファイル読み込み手段）が、評価用データ、第１印刷装置プロファイル、第２印刷装置プロファイルをそれぞれ読み込んで、評価用データ記憶部１１、第１プロファイル記憶部１３、第２プロファイル記憶部１４に記録する（ステップＳ１）。
すると、次に第１測色値算出部１５が、第１プロファイル記憶部１３から第１印刷装置プロファイルを読み込み、また評価用データ記憶部１１から評価用データを読み込む。そして第１測色値算出部１５は、評価用データに保持される色要素信号値の組合せに基づいて、当該各組合せの測色値を第１印刷装置プロファイルに基づいて算出する（ステップＳ２）。この時、第１印刷装置プロファイルには、色要素信号値の組合せＣＭＹＫ値と、当該ＣＭＹＫの値を用いて色出力を行なった際に第１印刷装置から出力される色の測色値との関係が保持されている為、補間計算などによって、評価用データに保持される各色要素信号値の組合せから、それら各組合せの測色値を算出する。これにより、評価用データ全ての組合せ、つまり、評価用データに基づいて第１印刷装置がＩＴ８．７／３と呼ばれるカラーチャートを印刷した際の、当該カラーチャートの全ての色についての測色値が予測されることとなる。
【００２２】
また、評価用データ変換処理部１２が、色要素信号値ＣＭＹＫのそれぞれについて、別々の補正情報（図３で示したスプライン曲線によって表されるカーブ）を用いて、評価用データを変換し、複数の変換後評価用データを生成する（ステップＳ３）。ここで評価用データ変換処理部１２は、補正情報を、図３で示した直線の制御点の移動幅に応じて、複数生成することができるので、従って、様々なカーブを示す補正情報を生成し、ＣＭＹＫ各々に対応する各補正情報の組合せによって、複数の変換後評価用データを生成する。
【００２３】
そして、第２測色値算出部１６が、評価用データ変換処理部１２から複数の変換後評価用データを読み込み、また第２プロファイル記憶部１４から第２印刷装置プロファイルを読み込み、第２印刷装置が、変換後評価用データを用いてカラーチャートを印刷する際の、当該カラーチャートに含まれる各組合せの測色値を算出する（ステップＳ４）。つまり第２印刷装置は、複数の変換後評価用データ各々により印刷されるカラーチャートそれぞれについて、当該カラーチャートの保持する複数の組合せの測色値を算出する。この処理は第１測色値算出部１５と同様の処理である。
【００２４】
次に補正情報決定部１７は、第１測色値算出部１５によって算出された評価用データの各色についての測色値と第２測色値算出部１６によって算出された変換後評価用データの各色についての測色値との差を、評価用データと変換後評価用データがそれぞれ保持する各色ごとに算出する。そして、その合計を色の数で平均した値を算出し、この値を色出力特性差異情報とする（ステップＳ５）。そして、補正情報決定部１７は、複数の変換後評価用データごとに色出力特性差異情報を算出する。そして、最も値が小さい色出力特性差異情報を算出したときの、変換後評価用データを特定する（ステップＳ６）。またその特定した変換用評価データを算出した補正情報を評価用データ変換処理部１２から取得する。そして、補正情報決定部１７は、この評価用データ変換処理部１２から取得した補正情報を、第１印刷装置の色出力特性に、第２印刷装置の色出力特性を最も近似補正できる補正情報と決定する（ステップＳ７）。
【００２５】
なお、色出力特性差異情報の算出方法は、上述の方法に限らず、他の方法によって算出するようにしても良い。
例えば、評価用データ変換処理部１２が変換後評価用データを生成し、第１測色値算出部１５によって算出された各色の測色値と、第２測色値算出部１６によって算出された各色の測色値と、の関係に基づいて、評価用データを用いて出力を行なう第１印刷装置と、変換後評価用データを用いて出力を行なう第２印刷装置との間の色出力特性の差を示す色出力特性差異情報を算出し、最適化手法により、最も値の小さい色出力特性差異情報が算出されるときの変換後評価用データを算出する補正情報を、第２印刷装置の色出力特性を第１印刷装置の色出力特性に近似補正する補正情報と決定する。上記最適化手法としては、Ｓｉｍｐｌｅｘ法やシュミレーテッドアニーリングや総当たり法などの手法が存在する。
【００２６】
そして、この色出力特性補正情報算出装置１の特定した補正情報を、第２印刷装置プロファイルに適用したり、また出力する画像情報に当該補正情報を適用するなどして、色の出力を変換し、第１印刷装置の色出力特性に近似させた色出力の処理を行なう。これにより、第１印刷装置が、例えば画像などを出力する際の色と同様な色で第２印刷装置で画像の出力を行うことができる。また、評価用データが色空間上に均等に分布した各色について、当該各色を出力する色要素信号値の組合せを保持しているので、ユーザは労力なく、色空間の多くの色について補正情報を用いて第１印刷装置の色出力特性に近似補正することができる。
また、上記手法を用いて、評価用データ、第１印刷装置プロファイル、第２印刷装置プロファイルを記憶するコンピュータが、第１印刷装置の色出力特性に近似補正するための、第２印刷装置の補正情報を算出して、実際に第２印刷装置プロファイルに適用するようにしても良い。
【００２７】
以上、色出力特性補正情報算出装置１の処理について説明したが、一方の印刷装置の色出力特性を、他方の印刷装置の色出力特性へ近似補正する補正情報を算出するのではなく、例えばモニタやプロジェクタなどの画像出力装置間での近似補正を行なう補正情報を算出するようにしても良い。その際、色要素信号値はＣＭＹＫではなくＲＧＢの信号値を用いることとなる。
【００２８】
また、本実施形態においては補正情報として中央値に１つの制御点を持つスプライン曲線を使用したが、複数の制御点を持つスプライン曲線や、あるいはルックアップテーブルの形式で記述される補正情報、数式で表される補正情報などの、他の補正情報を用いても良い。
また、色出力特性差異情報をＣＩＥＬａｂによる色差算出式によって算出しても良いし、ＣＭＣ、ＣＩＥ９４、ＣＩＥＤＥ２０００などの他の色差算出式を用いても良い。また色出力装置が出力する色の実測値はＬａｂなどの測色値でなく、例えば、濃度値であってもよい。
また、本実施形態の色出力特性補正情報算出装置１は、補正情報の出力形式をテキストファイルとしても良いし、また補正情報のカーブにおける制御点のみを出力したり、また数式とそのパラメータを出力するなど、補正情報が特定できる形式であればどのような形式で出力しても良い。
【００２９】
そして上述の色出力特性補正情報算出装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３０】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【図面の簡単な説明】
【００３１】
【図１】色出力特性補正情報算出装置の構成を示すブロック図である。
【図２】評価用データを示す図である。
【図３】補正情報のスプライン曲線を示す図である。
【図４】第１印刷装置プロファイルまたは第２印刷装置プロファイルのデータ概要を示す図である。
【図５】色出力特性補正情報算出装置の処理フローを示す図である。
【符号の説明】
【００３２】
１・・・色出力特性補正情報算出装置、１１・・・評価用データ記憶部、１２・・・評価用データ変換処理部、１３・・・第１プロファイル記憶部、１４・・・第２プロファイル記憶部、１５・・・第１測色値算出部、１６・・・第２測色値算出部、１７・・・補正情報決定部
【図１】
2005348210.tif 000003
【図２】
2005348210.tif 000004
【図３】
2005348210.tif 000005
【図４】
2005348210.tif 000006
【図５】
2005348210.tif 000007